(57)【特許請求の範囲】
【請求項１】
ファンに対応付けられている所定の一連の回転数制御信号の少なくとも一つと、前記回転数制御信号で回転させた前記ファンの測定された、前記回転数制御信号に対応する回転数とを記憶する記憶手段と、
前記ファンについての目標回転数が入力されると、前記記憶手段に記憶されている前記回転数制御信号と前記回転数とにもとづいて、前記目標回転数に対応する前記回転数制御信号で前記ファンの前記回転を行い、前記目標回転数に対応する前記回転数制御信号が前記記憶手段に記憶されていないときに、前記記憶手段に記憶されている前記回転数制御信号と前記回転数と、前記目標回転数との関連性にもとづいて算出した、前記目標回転数に対応する前記回転数制御信号で前記ファンの前記回転を行う制御手段とを備え、
前記回転数制御信号で回転させた前記ファンの数は複数であり、
前記記憶手段に記憶されている前記回転数は、前記回転数制御信号で回転させたそれぞれの前記ファンについて測定された前記回転数の代表値である
ことを特徴とする装置。
【請求項２】
前記記憶手段に記憶される、前記回転数制御信号以外の前記回転数制御信号である他回転数制御信号に対応する回転数は、前記回転数制御信号で回転させた前記ファンの測定された回転数をもとに算出された回転数である
ことを特徴とする請求項１に記載の装置。
【請求項３】
ファンの回転数を測定し、出力する測定手段
をさらに備え、
前記記憶手段に記憶される測定された回転数は、前記測定手段で測定され、出力された回転数である
ことを特徴とする請求項１又は２に記載の装置。
【請求項４】
ファンについての目標回転数が入力されると、記憶回路に記憶されている、前記ファンに対応付けられている所定の一連の回転数制御信号の少なくとも一つと、前記回転数制御信号で回転させた前記ファンの測定された、前記回転数制御信号に対応する回転数とにもとづいて、前記目標回転数に対応する前記回転数制御信号で前記ファンの前記回転を行い、前記目標回転数に対応する前記回転数制御信号が前記記憶回路に記憶されていないときに、前記記憶回路に記憶されている前記回転数制御信号と前記回転数と、前記目標回転数との関連性にもとづいて算出した、前記目標回転数に対応する前記回転数制御信号で前記ファンの前記回転を行い、
前記回転数制御信号で回転させた前記ファンの数は複数であり、
前記記憶回路に記憶されている前記回転数は、前記回転数制御信号で回転させたそれぞれの前記ファンについて測定された前記回転数の代表値である
ことを特徴とする制御回路。
【請求項５】
前記回転数制御信号以外の前記回転数制御信号である他回転数制御信号に対応する回転数は、前記回転数制御信号で回転させた前記ファンの測定された回転数をもとに算出された回転数である
ことを特徴とする請求項４に記載の制御回路。
【請求項６】
ファンに対応付けられている所定の一連の回転数制御信号の少なくとも一つと、前記回転数制御信号で回転させた前記ファンの測定された、前記回転数制御信号に対応する回転数とを記憶し、
前記ファンについての目標回転数が入力されると、記憶している前記回転数制御信号と前記回転数とにもとづいて、前記目標回転数に対応する前記回転数制御信号で前記ファンの前記回転を行い、前記目標回転数に対応する前記回転数制御信号を記憶していないときに、記憶している前記回転数制御信号と前記回転数と、前記目標回転数との関連性にもとづいて算出した、前記目標回転数に対応する前記回転数制御信号で前記ファンの前記回転を行う制御をし、
前記回転数制御信号で回転させた前記ファンの数は複数であり、
前記記憶している前記回転数は、前記回転数制御信号で回転させたそれぞれの前記ファンについて測定された前記回転数の代表値である
ことを特徴とする装置の制御方法。
【請求項７】
記憶している、前記回転数制御信号以外の前記回転数制御信号である他回転数制御信号に対応する回転数は、前記回転数制御信号で回転させた前記ファンの測定された回転数をもとに算出された回転数である
ことを特徴とする請求項６に記載の装置の制御方法。
【請求項８】
装置を構成するコンピュータに、
ファンに対応付けられている所定の一連の回転数制御信号の少なくとも一つと、前記回転数制御信号で回転させた前記ファンの測定された、前記回転数制御信号に対応する回転数とを記憶回路に記憶させる記憶処理と、
前記ファンについての目標回転数が入力されると、前記記憶回路に記憶されている前記回転数制御信号と前記回転数とにもとづいて、前記目標回転数に対応する前記回転数制御信号で前記ファンの前記回転を行い、前記目標回転数に対応する前記回転数制御信号が前記記憶回路に記憶されていないときに、前記記憶回路に記憶されている前記回転数制御信号と前記回転数と、前記目標回転数との関連性にもとづいて算出した、前記目標回転数に対応する前記回転数制御信号で前記ファンの前記回転を行う制御処理とを実行させ、
前記回転数制御信号で回転させた前記ファンの数は複数であり、
前記記憶回路に記憶されている前記回転数は、前記回転数制御信号で回転させたそれぞれの前記ファンについて測定された前記回転数の代表値である
ことを特徴とする装置のプログラム。
【請求項９】
前記記憶回路に記憶される、前記回転数制御信号以外の前記回転数制御信号である他回転数制御信号に対応する回転数は、前記回転数制御信号で回転させた前記ファンの測定された回転数をもとに算出された回転数である
ことを特徴とする請求項８に記載の装置のプログラム。
【発明の詳細な説明】
【技術分野】
【０００１】
本発明は、装置および制御方法に関する。
【背景技術】
【０００２】
送風機の羽根の特に軸付近が汚れると羽根の回転速度が下がる傾向がある。送風機の羽根車の汚れを検出して、羽根の汚れの程度が進行する前に予防的に保守することを可能にする技術が特許文献１に記載されている。
【０００３】
すなわち、特許文献１に記載の送風機（図１参照）において、羽根車の排気モータ０１を駆動する複数の電圧、即ちＰＷＭ（Pulse Width Modulation）制御の相異なるデューティ比に対応付けて、排気モータ０１の回転数の閾値を予めＲＯＭ（Read-Only Memory）０２に記憶してある。排気モータ０１を駆動するときのＰＷＭ制御のデューティ比を２秒毎に１０％ずつ増加させる。その際、回転センサ０３が発生するパルスから夫々のデューティ比に応じて検出した回転数が、ＲＯＭ０２に記憶された回転数の閾値より小さいときに、羽根車の清掃を促す注意喚起を表示器０４によって行う。また、上記ＰＷＭ制御のデューティ比を１０％変化させて検出した回転数の増分が、予めＲＯＭ０２に記憶してある増分の閾値より小さいときに、羽根車がロックしていることを示す警報を表示器０４から報知する。
【０００４】
このように、特許文献１に記載の技術は、モータの回転数を検出し、所定の閾値との比較により所定の表示を行うため、送風機の羽根車の汚れを検出して、羽根の汚れの程度が進行する前に予防的に保守することを可能にする。
【０００５】
また、車両用のラジエータの冷却ファンを駆動する際に、その消費電力を改善することを可能にする技術が特許文献２に記載されている。
【０００６】
すなわち、特許文献２に記載の車両用の冷却ファンの制御装置（図２参照）において、目標回転数設定部１は、エンジンＥＣＵ（Engine Control Unit）２から入力される指令デューティ比に応じて割り当てられる目標回転数Ｎｒｅｆを設定する。位置検出部３は、ブラシレスモータ４の固定子巻線の各誘起電圧から回転子の回転位置を検出する。回転数算出部５は、回転子のロータ位置信号Ｐｏｓからモータ回転数Ｎｆｂｋを算出する。ｄｕｔｙ制御部６は、目標回転数Ｎｒｅｆと、回転数算出部５により算出されたモータ回転数Ｎｆｂｋとを比較し、モータ回転数Ｎｆｂｋが目標回転数Ｎｒｅｆに一致するように、ブラシレスモータ４に印加するＰＷＭ電圧のデューティ比を制御する。
【０００７】
このように、特許文献２に記載の技術は、モータ回転数Ｎｆｂｋが目標回転数Ｎｒｅｆに一致するように、ブラシレスモータに印加するＰＷＭ電圧のデューティ比を制御するため、車両用のラジエータの冷却ファンを駆動する際に、その消費電力を改善することを可能にする。
【先行技術文献】
【特許文献】
【０００８】
【特許文献１】特開２０１１−０５８７１７号公報
【特許文献２】特開２０１４−１７１２９３号公報
【発明の概要】
【発明が解決しようとする課題】
【０００９】
ところで、コンピュータ等の電子機器を冷却するために機器に備えられているファンは、回転数が可変となっていることが多い。それは、そのようなファンの備えられた機器が設置される環境の温度変化や機器の稼働負荷の変動に応じて、機器の冷却に必要な風量を調節するためである。
【００１０】
ファンの回転数を制御するために、一般的にＰＷＭ方式が用いられる。これは、所定のデューティ比のＰＷＭ信号をファンに入力し、そのデューティ比に応じた回転数でファンを回転させるものである。ところが、実際には、ファンの回転数は、個体毎で公差により、同一のデューティ比に対しても中心値に対して上下１０％程度の差異が生じる。
【００１１】
つまり、ファンの目標回転数に対して適切なデューティ比でファンを回転させることができない。
【００１２】
この問題に対し、特許文献１に記載の技術では、モータの回転数を検出し、所定の閾値との比較を行うため、ファン（モータ）の回転数と目標回転数との差の判別を行うのみである。ただ、特許文献２に記載の技術では、ファン（モータ）回転数が目標回転数に一致するように、ブラシレスモータに印加するＰＷＭ電圧のデューティ比を制御するため、ファンの目標回転数に対して適切なデューティ比でファンを回転させることができる。
【００１３】
ところが、特許文献２に記載の技術では、ファンが目標回転数とは異なる回転数で回転している状態から、ファン回転数が目標回転数に一致するように、ブラシレスモータに印加するＰＷＭ電圧のデューティ比を制御する。このため、ファンを目標回転数で回転させるまでに少なからず制御処理および時間を要するという課題がある。このことは、ファンの備えられた装置の実稼働になんらかの支障をきたす要因となりうる。
【００１４】
本発明の目的は、上記課題を解決する装置および制御方法を提供することである。
【課題を解決するための手段】
【００１５】
本発明の装置は、ファンに対応付けられている所定の一連の回転数制御信号の少なくとも一つと、前記少なくとも一つの回転数制御信号で回転させた前記ファンの測定された、前記少なくとも一つの回転数制御信号に対応する回転数とを記憶する記憶手段と、前記ファンについての目標回転数が入力されると、前記記憶手段に記憶されている回転数制御信号と回転数とにもとづいて、前記目標回転数に対応する回転数制御信号で前記ファンを回転させる制御手段とを備えることを特徴とする。
【００１６】
本発明の装置の制御方法は、ファンに対応付けられている所定の一連の回転数制御信号の少なくとも一つと、前記少なくとも一つの回転数制御信号で回転させた前記ファンの測定された、前記少なくとも一つの回転数制御信号に対応する回転数とを記憶する記憶工程と、前記ファンについての目標回転数が入力されると、前記記憶工程で記憶されている回転数制御信号と回転数とにもとづいて、前記目標回転数に対応する回転数制御信号で前記ファンを回転させる制御工程とを備えることを特徴とする。
【発明の効果】
【００１７】
本発明によれば、ファンの備えられた装置において、ファンの目標回転数が与えられると少ない制御処理および時間でファンを目標回転数で回転させることが可能となる。
【図面の簡単な説明】
【００１８】
【図１】送風機の構成を示す図である。
【図２】車両用の冷却ファンの制御装置の構成を示す図である。
【図３】第１の実施形態における装置の構成例を示すブロック図である。
【図４】第１の実施形態における装置の動作例を示すフローチャートである。
【図５】第１の実施形態におけるメモリの記憶内容を示す表である。
【図６】第１の実施形態におけるメモリの記憶内容を示す表である。
【図７】第２の実施形態における装置の構成例を示すブロック図である。
【発明を実施するための形態】
【００１９】
本発明の第１の実施形態について、図面を参照して説明する。
【００２０】
本実施形態では装置の冷却ファンの回転数についてのチューニング方法について説明する。
【００２１】
図３に、本実施形態における装置の構成例を示す。装置１０はＢＭＣ（制御回路）１１、ファン１２、メモリ（記憶回路）１３、センサ（測定回路）１４を備える。
【００２２】
ＢＭＣ１１は、サーバ等のコンピュータ装置に搭載されるもので、ファン１２の制御を行う。
【００２３】
ファン１２は、装置１０の冷却ファンで、ｎ個（ｎは自然数で、ここでは２とする）ある。
【００２４】
メモリ１３は、ファン回転数やＰＷＭデューティ比などを記憶する。
【００２５】
センサ１４は、ファン１２の回転数を測定する。
【００２６】
上記の構成例を踏まえ、本実施形態における装置の動作について、図４を参照して説明する。図４は本実施形態における装置の動作例を示すフローチャートである。
【００２７】
ユーザの所定操作によりＢＭＣ１１がファン１２のチューニングを開始する（Ｓ４０１）。なお、あらかじめ、ファン１２の各々毎に単位時間当りのファン回転数ｒ（最大数≧ｒ＞０）とそれぞれ対応する所定ＰＷＭデューティ比とがメモリ１３に記憶されている（図５参照）。所定ＰＷＭデューティ比は、例えば、ファン１２の仕様にもとづく、ファン回転数とＰＷＭデューティ比との変換方法で算出されるものである。ＢＭＣ１１は各ファン１２についてメモリ１３に記憶されているデューティ比の各々について、所定の順番で選択し、選択した一つのデューティ比で該ファン１２を、例えば、駆動回路（図示せず）を介して、回転させる。その際、ＢＭＣ１１は当該ファン１２を回転させていることを示す測定信号をセンサ１４に出力する（Ｓ４０２）。測定信号が入力されたセンサ１４は当該ファン１２の回転数を測定し、当該ファン１２の識別子と共にＢＭＣ１１に出力する（Ｓ４０３）。ＢＭＣ１１は当該ファン１２について、メモリ１３において、選択したデューティ比に対応しているファン回転数を入力された回転数で書き換える（Ｓ４０４）。書き換えが終了した後、所定の順番での次のデューティ比について測定、書き換えを行う。各ファン１２に対して全てのデューティ比について回転数の書き換えが終了すると、チューニングの完了となる。チューニング完了後、図５でのファン回転数は、例えば、図６のように測定値に書き換えられている。
【００２８】
なお、上記のチューニングの実施は、装置１０の起動時、前のチューニング実施時から所定時間経過したとき、または、装置１０の構成変更時などに自動で行うようにしてもよく、また、装置１０の製造検査時に行ってもよい。装置１０の起動時や製造検査時などにチューニングを実施する場合は、メモリ１３にあらかじめファン回転数を記憶させておかなくてもよい。上記のファン回転数測定は、センサ１４を用いず、外部の測定機器を用いて行ってもよい。なお、センサ１４を用いると、容易にファンの回転数の測定を行うことが可能となる。メモリ１３における当初の記憶内容（図５相当）のファン回転数またはＰＷＭデューティ比の間隔は上記に限らず、一般的に、狭く取る程、チューニングの精度を高めることが可能となる。上記のファン回転数制御にＰＷＭ方式が用いられているが、これに限らず、他方式の回転数制御信号でファンを回転させてもよい。
【００２９】
また、一つのＰＷＭデューティ比で複数（ｎ個）の同種ファンを駆動する場合、ファン回転数の測定値として、ｎ個の測定値についての最小値、最大値、平均値などを用いる。例えば、冷却性能上、ｎ個のファンの回転数のいずれもが目標回転数を下回ることが許されない場合、ファン回転数の測定値としてｎ個の測定値についての最小値を選択する。騒音や消費電力などの条件で、ｎ個のファンの回転数のいずれもが目標回転数を上回ることが許されない場合、ファン回転数の測定値としてｎ個の測定値についての最大値を選択する。また、ファンの構成上、冷却風量がｎ個のファン回転数の平均に比例するような場合、ファン回転数の測定値としてｎ個の測定値についての平均値を選択する。
【００３０】
上記Ｓ４０２の処理で、ＢＭＣ１１は各ファン１２についてメモリ１３に記憶されているデューティ比の各々を選択しているが、選択するデューティ比を全ての内のいずれか一つとしてもよい。この場合、そのデューティ比について測定された回転数から、デューティ比と回転数とは正比例するという一般的な性質にもとづいて、その他のデューティ比についての回転数を算出し、書き換えを行う。逆に言うと、これは、デューティ比と回転数とが正比例する特性をファン１２が有する場合に適用する。これにより、回転数の測定に関わる処理の回数を減らすことが可能となる。
【００３１】
チューニング完了後、ＢＭＣ１１にＦＡＮ１２の目標回転数が入力されると、ＢＭＣ１１はメモリ１３（図６相当）において、入力された目標回転数に対応するＰＷＭデューティ比（回転数制御信号）で該ファン１２を回転させる。これにより、当該ファン１２は目標回転数で回転する。なお、入力された目標回転数がメモリ１３におけるファン回転数の隣接する２値の中間に位置する場合、対応するＰＷＭデューティ比を目標回転数と前後のファン回転数との比にもとづいて算出してもよい。
【００３２】
以上のように、本装置は、ファンのチューニングを行い、所定の一連のＰＷＭデューティ比の各々に、デューティ比の各々で回転させたファンの測定された回転数をそれぞれ対応付けてメモリに記憶する。本装置は、チューニング完了後、ファンの目標回転数が入力されると、入力された目標回転数に対応するＰＷＭデューティ比でファンを回転させ、ファンは目標回転数で回転する。
【００３３】
このように、ファンの備えられた装置において、ファンの目標回転数が与えられると少ない制御処理および時間でファンを目標回転数で回転させることが可能となる。
【００３４】
本発明の第２の実施形態について、図面を参照して説明する。
【００３５】
図７に、本実施形態における装置の構成例を示す。装置２０は、記憶回路２１、制御回路２２を備える。
【００３６】
記憶回路２１は、装置２０のファン回転数や回転数制御信号を記憶する。
【００３７】
制御回路２２は、装置２０のファンの制御を行う。
【００３８】
上記の構成例を踏まえ、本実施形態における装置の動作例について説明する。
【００３９】
ユーザの所定操作により、記憶回路２１が、装置２０のファンに対応付けられている所定の一連の回転数制御信号の少なくとも一つと、少なくとも一つの回転数制御信号で回転させたファンの測定された、少なくとも一つの回転数制御信号に対応する回転数とを記憶する。制御回路２２は、ファンについての目標回転数が入力されると、記憶回路２１に記憶されている回転数制御信号と回転数とにもとづいて、目標回転数に対応する回転数制御信号でファンを回転させる。
【００４０】
以上のように、本装置は入力された目標回転数に対し、測定によって得た、対応する回転数制御信号でファンを回転させ、ファンは目標回転数で回転する。
【００４１】
このように、ファンの備えられた装置において、ファンの目標回転数が与えられると少ない制御処理および時間でファンを目標回転数で回転させることが可能となる。
【００４２】
なお、以上の実施形態において、係る動作処理を実行させるためのプログラムを、ＣＤ−ＲＯＭ、ＭＯなどのコンピュータ読取可能な記録媒体に格納して配布し、該プログラムをコンピュータにインストールすることにより、該動作処理を実行する装置を構成してもよい。ＣＤ−ＲＯＭはCompact Disk Read-Only Memoryの略称で、ＭＯはMagneto-Optical diskの略称である。
【産業上の利用可能性】
【００４３】
本発明は、装置および制御方法に利用可能である。
【符号の説明】
【００４４】
１０、２０    装置
１１    ＢＭＣ
１２    ファン
１３    メモリ
１４    センサ
２１    記憶回路
２２    制御回路
【図１】
0006730010.tif 000002
【図２】
0006730010.tif 000003
【図３】
0006730010.tif 000004
【図４】
0006730010.tif 000005
【図５】
0006730010.tif 000006
【図６】
0006730010.tif 000007
【図７】
0006730010.tif 000008